(57)【要約】【課題】プリーツが常にはっきりして美しく見え、しかもプリーツの乱れを生じさせていたタック部分を形成する必要のないプリーツカーテンを提供すること。【解決手段】各サイクロイドプリーツ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲するサイクロイドプリーツを掛けることにより、当該サイクロイドプリーツカーテン１０の横断面がサイクロイド曲線状態となるようにして、各谷折りプリーツ１２及びサイクロイドプリーツの全ての部分にタック部分を形成しないで済むようにしたこと。【選択図】図１
0003134937.tif 000002
【実用新案登録請求の範囲】
【請求項１】
カーテンレールに吊下されて、多数のサイクロイドプリーツが上下方向となるサイクロイドプリーツカーテンにおいて、
前記各サイクロイドプリーツの区切りを、カーテン生地の縦方向に形成した谷折りプリーツ加工線により行い、各谷折りプリーツ加工線間に位置する前記カーテン生地に、前記谷折りプリーツ加工線とは反対側に湾曲するサイクロイドプリーツを掛けることにより、当該サイクロイドプリーツカーテンの横断面がサイクロイド曲線状態となるようにして、前記各谷折りプリーツ及びサイクロイドプリーツの全ての部分にタック部分を形成しないで済むようにしたことを特徴とするサイクロイドプリーツカーテン。
【請求項２】
自然状態に置いたときの前記各サイクロイドプリーツの区切りを、７．８〜１５．５ｃｍの範囲で行い、サイクロイドプリーツを掛けた部分の高さを、２．０〜５．０ｃｍの範囲で行うようにしたことを特徴とする請求項１に記載のサイクロイドプリーツカーテン。
【請求項３】
前記谷折りプリーツ加工線の裏面側に取り付けられる掛け金の近傍に位置して前記カーテンレールと平行となる位置の前面に、装飾材または装飾布を取り付けたことを特徴とする請求項１または請求項２に記載のサイクロイドプリーツカーテン。
【請求項４】
窓の内側上部に設けた前記カーテンレールに吊下するための掛け金を、当該サイクロイドプリーツカーテンの外側面の上部に取り付けたことを特徴とする請求項１〜請求項３のいずれかに記載のサイクロイドプリーツカーテン。
【考案の詳細な説明】
【技術分野】
【０００１】
本考案は、カーテンに関し、特に、開けたたときも閉めたときも、縦方向のプリーツが美しく形成されるカーテンに関するものである。
【背景技術】
【０００２】
従来のカーテンは、プリーツまたはドレープと呼ばれる「襞」を形成する方法によって、次の二種類に大別できる。一つのタイプは、カーテンの上部をつまんでこれを縫製等によって固定化した「タック部分」を形成し、この「タック部分」の下側に「襞」を形成するものであり、他のタイプは、カーテン生地を二枚の型紙間に挟んで加熱冷却加工、つまりプリーツを掛けることによりプリーツ（襞）を形成するものである。
【０００３】
上記の第一タイプのカーテンでは、プリーツは、タック部分の直下では美しく現れてはいるものの、中央から徐々に崩れていき、下部に至ると全く消失してしまうものであり、全体的に美しいものとはいえない。
【０００４】
第二タイプのプリーツカーテンに関連する技術としては、例えば特許文献１にて提案されている「カーテンの襞付け加工方法」がある。この特許文献１に示された襞付け加工方法では、図７にも示すように、カーテン生地の大きさに合わせた第１型紙１と第２型紙２との間にカーテン生地７を挟み込み、これら第１型紙１と第２型紙２との外側にあってカーテンの襞方向に合わせて平行に並べた柱状体７を、第１型紙１と第２型紙２とで交互に間にくるように配列してそれら型紙の外側に貼着し、これら柱状体７を相手方の型紙の方に押し込んで「断面波形」の襞となるように湾曲し、蒸熱を利用して上記襞を固定するようにしたものである。
【特許文献１】特公平４−２３０２５号公報、特許請求の範囲
【０００５】
つまり、この第二タイプのプリーツカーテンでは、図７に示すように、各プリーツの断面形状において、「Ｕ字状部」と「逆Ｕ字状部」とが交互して連続するようにするものであり、「プリーツ」と言えばこのようなものが一般的である。
【０００６】
このような「Ｕ字状部」と「逆Ｕ字状部」とが交互して連続するプリーツカーテンでは、全ての部分が曲線であるため、プリーツが明確に現れない。しかも、このプリーツカーテンをカーテンレールに連結するためには掛け金を取り付けなければならないが、この掛け金は、「Ｕ字状部」または「逆Ｕ字状部」となっているカーテン上部に取り付けなければならない。そうすると、カーテン自体の重さによって、カーテン上部の「Ｕ字状部」または「逆Ｕ字状部」に部分的に力が加わるため、折角形成してあるプリーツを乱してしまうものである。
【０００７】
そこで、本考案者は、プリーツが常にはっきりして美しく見え、しかもプリーツの乱れがないようにするにはどうしたらよいか、について種々検討を重ねてきた結果、本考案を完成したのである。
【考案の開示】
【考案が解決しようとする課題】
【０００８】
本考案は、プリーツカーテンにおける上記実状に鑑みてなされたもので、その解決しようとする課題は、プリーツが常にはっきりして美しく見え、しかもプリーツの乱れを生じさせていたタック部分を形成する必要のないプリーツカーテンを提供することにある。
【課題を解決するための手段】
【０００９】
以上の課題を解決するために、まず、請求項１に係る考案の採った手段は、後述する実施の形態の説明中で使用する符号を付して説明すると、
「カーテンレール２０に吊下されて、多数のサイクロイドプリーツ１１〜１１が上下方向となるサイクロイドプリーツカーテン１０において、
各サイクロイドプリーツ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲するサイクロイドプリーツを掛けることにより、当該サイクロイドプリーツカーテン１０の横断面がサイクロイド曲線状態となるようにして、各谷折りプリーツ１２及びサイクロイドプリーツの全ての部分にタック部分を形成しないで済むようにしたことを特徴とするサイクロイドプリーツカーテン１０」
である。
【００１０】
すなわち、この請求項１に係るサイクロイドプリーツカーテン１０は、各サイクロイドプリーツ１１にタック部分を形成しないようにするとともに、これら各サイクロイドプリーツ１１を一般的なプリーツ加工によって形成するものであるが、これらサイクロイドプリーツ１１を多数連続させた断面形状を、サイクロイド曲線状態となるようにしたことに特徴があるものである。サイクロイド曲線は、ある平面上を一つの円が接しながら転動するとき、この円上の一点が描く軌跡を言うものであるが、本考案に係るサイクロイドプリーツカーテン１０では、図２に示すように、多数のサイクロイドプリーツ１１が連続している断面形状をこのサイクロイド曲線に近似したものとしてあるのである。
【００１１】
このようなサイクロイドプリーツ１１を形成するには、例えば図７に示した二枚の型紙に、谷折りプリーツ加工線１２に対応する谷折り部を形成し、これらの谷折り部間に、谷折り部とは反対側に湾曲する湾曲部を形成しておいて、これらの型紙内にカーテン生地を挟み込んで、通常のプリーツ加工を行うことにより、簡単に行えるものである。なお、「谷折り」とは、図１に示すように、当該サイクロイドプリーツカーテン１０を部屋側からみたときに凹んだ部分となる折り方である。
【００１２】
このようにしたサイクロイドプリーツカーテン１０を展開したときには、図１の左側に示すように、窓側に凹んだ各谷折りプリーツ加工線１２には言わば「影」ができるため、各谷折りプリーツ加工線１２及びこれによって区切られたサイクロイドプリーツ１１が非常にはっきりと、しかも美しく見えることになるのである。また、このサイクロイドプリーツカーテン１０を、図１の右側に示すように閉じたときには、各谷折りプリーツ加工線１２が窓側に凹んでいるし、各谷折りプリーツ加工線１２間に位置するカーテン生地には、各谷折りプリーツ加工線１２とは反対側に湾曲するサイクロイドプリーツが掛けてあるから、全てのサイクロイドプリーツ１１はその中央が部屋側に突出するように湾曲し、幅狭なものとはなるものの、その存在が消失することなく現れたままの状態を維持するのである。
【００１３】
勿論、このサイクロイドプリーツカーテン１０は、窓の内側上部に設けたカーテンレール２０に吊下しなければならないが、そのためのタック部分を形成する必要がないことは当然として、吊下のための掛け金１３は、図２に示すように、各谷折りプリーツ加工線１２の外側面（窓側となる面であって、部屋側からは見えない面）の上部に取り付ければよいものとなっている。つまり、当該サイクロイドプリーツカーテン１０をカーテンレール２０に吊下するに当たって、その自重が各谷折りプリーツ加工線１２に掛かるようにするのであり、これら谷折りプリーツ加工線１２によって区切られている各サイクロイドプリーツ１１に直接力が加わらないようにするのである。これにより、当該サイクロイドプリーツカーテン１０を掛け金１３を利用してカーテンレール２０に吊下したとき、各サイクロイドプリーツ１１にはその形状を乱す力が加わらないから、各サイクロイドプリーツ１１が形崩れすることはないのである。
【００１４】
ところで、窓の幅は近年では種々なものになってきており、また、カーテン生地の幅の種類は、数種類用意されてはいても、固定された一定のものとなっている。このようなカーテン生地は、裁断するという無駄な作業をできるだけ避けて、効率的に使用しなければならない現状にある。この点について、本考案のサイクロイドプリーツカーテン１０は、各サイクロイドプリーツ１１の区切りを、カーテン生地の縦方向に形成した谷折りプリーツ加工線１２により行うとともに、各谷折りプリーツ加工線１２間に位置する前記カーテン生地に、谷折りプリーツ加工線１２とは反対側に湾曲するサイクロイドプリーツを掛けるようにしているため、各サイクロイドプリーツ１１がその寸法差を十分吸収し、カーテン生地の裁断を行わなくてもよいものとなっているのである。
【００１５】
従って、この請求項１に係るサイクロイドプリーツカーテン１０は、各サイクロイドプリーツ１１が常にはっきりして美しく見えて、サイクロイドプリーツ１１の乱れを生じさせていたタック部分を形成する必要もなく、しかも開いたときも閉じたときも、サイクロイドプリーツ１１の美しさを現すことができるものである。
【００１６】
また、上記課題を解決するために、請求項２に係る考案の採った手段は、上記請求項１のサイクロイドプリーツカーテン１０について、
「自然状態に置いたときの各サイクロイドプリーツ１１の区切りＳを、７．８〜１５．５ｃｍの範囲で行い、サイクロイドプリーツを掛けた部分の高さＨを、２．０〜５．０ｃｍの範囲で行うようにしたこと」
である。
【００１７】
すなわち、この請求項２のサイクロイドプリーツカーテン１０は、各サイクロイドプリーツ１１が最も効果的に現れるようにしたものであり、そのときの実寸法を明確にしたものである。
【００１８】
各サイクロイドプリーツ１１の区切り幅（スパン）Ｓを、７．８〜１５．５ｃｍの範囲で行う必要があるのは、まず、この区切り幅Ｓが７．８ｃｍより小さいと、各サイクロイドプリーツ１１が明確に見えないとともに、カーテン生地として幅が特殊なもの（通常提供されてはいないもの）が必要になるからである。逆に、この区切り幅Ｓが１５．５ｃｍより大きいと、サイクロイドプリーツカーテン１０としての体をなさないだけでなく、掛け金１３によってカーテンレール２０に吊下したとき、ダラリとしたものとなって、美しさがなくなるからである。
【００１９】
また、各サイクロイドプリーツ１１のサイクロイドプリーツを掛けた部分の高さＨを、２．０〜５．０ｃｍの範囲で行う必要があるのは、まず、２．０ｃｍより低いと、各谷折りプリーツ加工線１２を永続性のあるもとすることができないだけでなく、そのような浅い谷折りプリーツ加工線１２を形成したときには、これによってできる「影」が薄くて小さく、美しい形態のサイクロイドプリーツ１１とすることができないからである。一方、各サイクロイドプリーツ１１のサイクロイドプリーツを掛けた部分の高さＨが５．０ｃｍより大きいと、カーテン生地として幅が特殊なものが必要になるからだけでなく、掛け金１３によってカーテンレール２０に吊下したとき、ダラリとしたものとなって、美しさがなくなるからである。
【００２０】
従って、この請求項２のサイクロイドプリーツカーテン１０は、上記請求項１と同様な機能を発揮することは当然として、市販されている一般的なカーテン生地を使用して幅が多様化してきている近年の窓に適用できるのである。
【００２１】
さらに、上記課題を解決するために、請求項３に係る考案の採った手段は、上記請求項１または２のサイクロイドプリーツカーテン１０について、
「谷折りプリーツ加工線１２の裏面側に取り付けられる掛け金１３の近傍に位置してカーテンレール２０と平行となる位置の前面に、装飾材または装飾布１４を取り付けたこと」
である。
【００２２】
すなわち、この請求項３に係るサイクロイドプリーツカーテン１０は、図３に示すように、これをカーテンレール２０に掛け金１３によって吊下するにあたり、各掛け金１３とは反対側（部屋側）となる部分に、装飾材または装飾布１４を取り付けたものであり、この装飾材または装飾布１４によって当該サイクロイドプリーツカーテン１０の「くびれ」を隠すようにしたものである。
【００２３】
一般に、サイクロイドプリーツカーテン１０を構成しているカーテン生地が重量のあるものであったり、長期間使用した場合には、サイクロイドプリーツカーテン１０自体の重力が各掛け金１３近傍に直接掛かることになり、各掛け金１３近傍で少し「くびれる」場合がある。このくびれによる線が、掛け金１３の各位置に対応して横方向に並ぶことになり、縦方向の各サイクロイドプリーツ１１や谷折りプリーツ加工線１２とはそぐわないことになる。
【００２４】
このため、この請求項３のサイクロイドプリーツカーテン１０では、そのくびれによる線が発生し易い部分に装飾材または装飾布１４を取り付けることにより、仮にこの「くれれ線」が発生したとしても、各サイクロイドプリーツ１１や谷折りプリーツ加工線１２に違和感を与えないようにしたのである。
【００２５】
装飾材または装飾布１４としては、上記くびれ線を隠すことができて各サイクロイドプリーツ１１や谷折りプリーツ加工線１２と調和するものであれば何んであってもよいが、フリル等のボリュームのある布や「くびれ」そのものを発生しにくい厚手の布等を使用するのが効果的である。この装飾材または装飾布１４の具体的な例としては、図４の（ａ）〜（ｄ）に示すようなものがある。
【００２６】
従って、この請求項３に係るサイクロイドプリーツカーテン１０は、上記請求項１または２のそれと同様な機能を発生する他、仮に各掛け金１３近傍にくびれ線が生じたとしても、これを目立たないようにし、各サイクロイドプリーツ１１や谷折りプリーツ加工線１２による美しさを長期間維持し得るものとなっているのである。
【００２７】
上記課題を解決するために、請求項４に係る考案の採った手段は、上記請求項１〜請求項３のいずれかに記載のサイクロイドプリーツカーテン１０について、
「窓の内側上部に設けたカーテンレール２０に吊下するための掛け金１３を、当該サイクロイドプリーツカーテン１０の外側面の上部に取り付けたこと」
である。
【００２８】
すなわち、この請求項４のサイクロイドプリーツカーテン１０は、窓の内側上部に設けたカーテンレール２０に吊下しなければならないが、そのためのタック部分を形成する必要がないことは当然として、吊下のための掛け金１３は、図２に示すように、各谷折りプリーツ加工線１２の外側面（窓側となる面であって、部屋側からは見えない面）の上部に取り付ければよいものとなっている。つまり、当該サイクロイドプリーツカーテン１０では、これをカーテンレール２０に吊下するに当たって、その自重が各谷折りプリーツ加工線１２に掛かるようにするのであり、これら谷折りプリーツ加工線１２によって区切られている各サイクロイドプリーツ１１に直接力が加わらないようにするのである。
【００２９】
これにより、当該サイクロイドプリーツカーテン１０は、これを掛け金１３を利用してカーテンレール２０に吊下したとき、各サイクロイドプリーツ１１にはその形状を乱す力が加わらないから、各サイクロイドプリーツ１１が形崩れすることがないものとなっているのである。
【００３０】
なお、本考案に係るサイクロイドプリーツカーテン１０においては、図５及び図６に示すように、各サイクロイドプリーツ１１の区切りを、上端が途切れた状態でカーテン生地の縦方向に形成した谷折りプリーツ加工線１２により行うとともに、各谷折りプリーツ加工線１２間に位置する前記カーテン生地に、谷折りプリーツ加工線１２とは反対側に湾曲するサイクロイドプリーツを掛けることにより、断面がサイクロイド曲線状態となるようにし、さらに、谷折りプリーツ加工線１２の上端に、これから左右へ上方に向けて広がる谷折りプリーツ分散線１５ａを形成することにより、各谷折りプリーツ加工線１２の上端に吊下重力を分散させるための略三角形の分散部１５を形成するように実施してもよいものである。
【００３１】
各分散部１５は、図６に拡大して示すように、各谷折りプリーツ加工線１２の上端から左右へ上方に向けて広がる谷折りプリーツ分散線１５ａによって区画されるものであり、図５にも示すように、略逆三角形状のものである。各谷折りプリーツ分散線１５ａは、谷折りプリーツ加工線１２をプリーツ加工する際に同時に形成されるものであるが、谷折りプリーツ加工線１２と同様な「谷折り」であってもよいし、逆の「山折り」であってもよいものである。そして、これら各分散部１５の裏面に、図６中の点線にて示すように、各掛け金１３が取付けられるのであり、その取付け位置は各谷折りプリーツ加工線１２の直上が最も効果的である。
【００３２】
このような分散部１５が各谷折りプリーツ加工線１２の上端に位置していることによって、当該サイクロイドプリーツカーテン１０全体の重量による「くびれ線」形成の力は、両谷折りプリーツ分散線１５ａによって左右に分散され、当該分散部１５の裏面に取付けてある掛け金１３に集中することがなくなる。つまり、各分散部１５によって、当該サイクロイドプリーツカーテン１０の上部に、上記請求項３で述べた「くびれ線」が形成されることがないのである。
【００３３】
従って、図５及び図６に示したようにしたサイクロイドプリーツカーテン１０は、各サイクロイドプリーツ１１及び谷折りプリーツ加工線１２による美しさを長期間にわたって維持し得るものとなっているのである。
【００３４】
また、このようにしたサイクロイドプリーツカーテン１０についても、自然状態に置いたときの各サイクロイドプリーツの区切りを、７．８〜１５．５ｃｍの範囲で行い、サイクロイドプリーツを掛けた部分の高さを、２．０〜５．０ｃｍの範囲で行うようにすれば、市販されている一般的なカーテン生地を使用して幅が多様化してきている近年の窓に適用できるのである。
【考案の効果】
【００３５】
以上の通り、請求項１に係る考案においては、
「カーテンレール２０に吊下されて、多数のサイクロイドプリーツ１１〜１１が上下方向となるサイクロイドプリーツカーテン１０において、
各サイクロイドプリーツ１１の区切りを、カーテン生地の縦方向に形成した谷折りプリーツ加工線１２により行い、各谷折りプリーツ加工線１２間に位置する前記カーテン生地に、谷折りプリーツ加工線１２とは反対側に湾曲するサイクロイドプリーツを掛けることにより、当該サイクロイドプリーツカーテン１０の横断面がサイクロイド曲線状態となるようにして、各谷折りプリーツ１２及びサイクロイドプリーツの全ての部分にタック部分を形成しないで済むようにしたこと」
にその構成上の特徴があり、これにより、プリーツが常にはっきりして美しく見え、しかもプリーツの乱れを生じさせていたタック部分を形成する必要のないサイクロイドプリーツカーテンを提供することができるのである。
【００３６】
また、請求項２に係る考案においては、上記請求項１のサイクロイドプリーツカーテン１０について、
「自然状態に置いたときの各サイクロイドプリーツ１１の区切りＳを、７．８〜１５．５ｃｍの範囲で行い、サイクロイドプリーツを掛けた部分の高さＨを、２．０〜５．０ｃｍの範囲で行うようにしたこと」
にその構成上の特徴があり、これにより、上記請求項１と同様な効果を発揮することができて、市販されている一般的なカーテン生地を使用しても、幅が多様化してきている近年の窓に適用できるサイクロイドプリーツカーテン１０とすることができたのである。
【００３７】
さらに、請求項３に係るサイクロイドプリーツカーテン１０においては、各掛け金１３の近傍で部屋側となる面に装飾材または装飾布１４を設けるようにしたから、上記請求項１または２と同様な降下を発揮する他、装飾材または装飾布１４によって「くびれ線」の発生を抑えたり隠したりすることができて、各サイクロイドプリーツ１１や谷折りプリーツ加工線１２による美しさを長期間維持することができるのである。
【００３８】
そして、請求項４に係るサイクロイドプリーツカーテン１０では、これを掛け金１３を利用してカーテンレール２０に吊下したとき、各サイクロイドプリーツ１１にはその形状を乱す力が加わらないものとすることができて、各サイクロイドプリーツ１１が形崩れすることがないものとすることができるのである。
【考案を実施するための最良の形態】
【００３９】
以上のように構成した各請求項に係る考案を、図面に示した実施の形態であるサイクロイドプリーツカーテン１０について、その製造方法とも併せて説明すると、図１には、本考案に係るサイクロイドプリーツカーテン１０を、窓の左側では開いて、また窓の右側では閉じている状態が示してある。勿論、これらのサイクロイドプリーツカーテン１０は、カーテンレール２０に吊下されていて、多数のサイクロイドプリーツ１１〜１１が上下方向に位置している。
【００４０】
このサイクロイドプリーツカーテン１０においては、図１及び図２に示したように、各サイクロイドプリーツ１１の区切りを、カーテン生地の縦方向に形成した谷折りプリーツ加工線１２により行うとともに、各谷折りプリーツ加工線１２間に位置するカーテン生地に、谷折りプリーツ加工線１２とは反対側に湾曲するサイクロイドプリーツを掛けることにより、断面がサイクロイド曲線状態となるようにしてある。
【００４１】
さて、このサイクロイドプリーツカーテン１０は、次のようにして形成した。まず、幅が９０ｃｍである一枚のガラス窓を覆うものとしてのサイクロイドプリーツカーテン１０を製造するために、ポリエステル繊維からなり、幅が１５０ｃｍのカーテン生地を用意し、これを二枚の型紙内に挟み込んで、蒸気釜内に挿入した。勿論、各型紙には、谷折りプリーツ加工線１２に対応する凹みと、各凹み間にサイクロイドプリーツ１１に対応する湾曲が形成してあるし、一つの蒸気釜内には、二枚の型紙内に挟み込んだカーテン生地の多数が挿入されるものである。以上のようにした状態で、約１０５℃の温度で約２０分間蒸気加熱して２０分間真空にし、蒸気釜から取り出した。      
【００４２】
これによって完成したサイクロイドプリーツカーテン１０は、これを机の上に広げたとき、図２に示した区切り幅Ｓが１１．１〜１１．２ｃｍとなり、各サイクロイドプリーツ１１の高さＨは、約５ｃｍであり、全体の幅は約１００ｃｍであった。また、このサイクロイドプリーツカーテン１０を８回洗濯したときの区切り幅Ｓ及び高さＨは、それぞれ、１１．１ｃｍ、５ｃｍであって、新品状態と殆ど変化がなく、耐洗濯性が非常に高いものとなっていた。
【００４３】
図３には、請求項３に係るサイクロイドプリーツカーテン１０が示してあり、このサイクロイドプリーツカーテン１０においては、これをカーテンレール２０に対して取付ける掛け金１３（図示はしていない）の近傍であって、カーテン生地の部屋側面に、フリル形状の装飾材または装飾布１４を横方向に取付けたものである。なお、図１に示したサイクロイドプリーツカーテン１０と同様に、この図３に示したサイクロイドプリーツカーテン１０も、谷折りプリーツ加工線１２を形成してその間にサイクロイドプリーツ１１を形成して、図２に示したようなサイクロイド曲線を形成するようにしたものである。
【００４４】
この装飾材または装飾布１４としては、種々考えられるが、具体的には図４に示したようなものがある。図４の（ａ）に示した装飾材または装飾布１４は、具体的にはフリンジであり、このフリンジの上端をカーテン生地の部屋側面に縫い付けたものであり、図４の（ｂ）に示した装飾材または装飾布１４は、ブレードレースであり、その上下両縁をカーテン生地に縫いつけるようにしたものである。また、図４の（ｃ）に示した装飾材または装飾布１４は、フリル付きの「かぶせ」であり、このフリルが該当部分に来るようにして縫い付けたものであり、図４の（ｄ）に示した装飾材または装飾布１４は、レース付きの「かぶせ」であり、そのレース部分が該当個所に来るようにしながら、当該サイクロイドプリーツカーテン１０の上端に取り付けたものである。
【００４５】
図５及び図６に示したサイクロイドプリーツカーテン１０においては、図１に示したサイクロイドプリーツカーテン１０と同様に、縦方向の谷折りプリーツ加工線１２とその間のサイクロイドプリーツ１１とを有しているものであるが、これらの図５及び図６に示したサイクロイドプリーツカーテン１０では、各谷折りプリーツ加工線１２の上端に分散部１５を形成したものである。各分散部１５は、図６に示したように、谷折りプリーツ加工線１２の上端から左右へ上方に向けて広がる谷折りプリーツ分散線１５ａにより区画したものであり、その裏面側には、当該サイクロイドプリーツカーテン１０をカーテンレール２０に連結するための掛け金１３が取付けられるものである。
【００４６】
各分散部１５を形成する谷折りプリーツ分散線１５ａは、谷折りプリーツ加工線１２をプリーツ加工する際に同時にプリーツ加工して形成されるものであり、各分散部１５を谷折りプリーツ加工線１２の上端に平面状に広がるものとするものである。換言すれば、谷折りプリーツ加工線１２の上端には平面状の分散部１５が存在することになるから、谷折りプリーツ加工線１２の上端の裏面側に掛け金１３を取り付ける作業をし易くすることにもなるものである。
【００４７】
勿論、これら図５及び図６に示したサイクロイドプリーツカーテン１０についても、請求項２に係るサイクロイドプリーツカーテン１０と同様にすることにより、最適な美しさを有することのできるものである。
【図面の簡単な説明】
【００４８】
【図１】本考案に係るサイクロイドプリーツカーテンの正面図である。
【図２】同サイクロイドプリーツカーテンの部分拡大断面図である。
【図３】請求項３に係るサイクロイドプリーツカーテンの正面図である。
【図４】装飾材または装飾布の、（ａ）〜（ｄ）の４種類の具体例をそれぞれ示すサイクロイドプリーツカーテンの部分正面図である。
【図５】本考案の他の実施例に係るサイクロイドプリーツカーテンの正面図である。
【図６】図５に示したサイクロイドプリーツカーテンの部分拡大正面図である。
【図７】従来の技術を示す部分断面図である。
【符号の説明】
【００４９】
１０    サイクロイドプリーツカーテン
１１    サイクロイドプリーツ
１２    谷折りプリーツ加工線
１３    掛け金
１４    装飾材または装飾布
１５    分散部
１５ａ  谷折りプリーツ分散線
２０    カーテンレール
Ｓ      区切り幅
Ｈ      高さ
【図１】
0003134937.tif 000003
【図２】
0003134937.tif 000004
【図３】
0003134937.tif 000005
【図４】
0003134937.tif 000006
【図５】
0003134937.tif 000007
【図６】
0003134937.tif 000008
【図７】
0003134937.tif 000009